【手続補正書】
【提出日】平成24年3月26日(2012.3.26)
【手続補正１】
【補正対象書類名】特許請求の範囲
【補正対象項目名】全文
【補正方法】変更
【補正の内容】
【特許請求の範囲】
【請求項１】
低密度パリティ検査符号（ＬＤＰＣ）を使用するシステムにおけるチャネル符号化方法であって、
情報ビットを複数のビットグループに区分するステップと、
短縮される情報ビットの数を決定するステップと、
前記決定された短縮される情報ビットの数に基づいて短縮されるビットグループの数を決定するステップと、
予め定められた順序に従って前記決定されたビットグループの情報ビットを短縮するステップと、
前記短縮された情報ビットを符号化するステップとを有することを特徴とするチャネル符号化方法。
【請求項２】
前記短縮される情報ビットの数を決定するために短縮により取得される情報ビット数を決定するステップをさらに有することを特徴とする請求項１に記載のチャネル符号化方法。
【請求項３】
符号語の長さが１６２００であり、情報ビットの長さが３２４０である場合、前記予め定められた順序は、７、３、６、５、２、４、１、８、及び０であることを特徴とする請求項１に記載のチャネル符号化方法。
【請求項４】
符号語の長さが１６２００であり、情報ビットの長さが７２００である場合、前記予め定められた順序は、１８、１７、１６、１５、１４、１３、１２、１１、４、１０、９、８、３、２、７、６、５、１、１９、及び０であることを特徴とする請求項１に記載のチャネル符号化方法。
【請求項５】
ビットグループの長さが３６０であり、情報ビットの長さが３２４０である場合、
前記予め定められた順序に従って０番目のビットグループから（ｍ−１）番目のビットグループまでのビットグループの情報ビットを短縮するステップと、
前記予め定められた順序に従ってｍ番目のビットグループ内の（３２４０−Ｋ２−３６０ｍ）情報ビットを短縮するステップとを有し、
Ｋ２は、短縮により取得される情報ビットの数であり、（３２４０−Ｋ２）は、短縮される情報ビットの数であり、
2011507329.tif 000001
であることを特徴とする請求項１に記載のチャネル符号化方法。
【請求項６】
ビットグループの長さが３６０であり、情報ビットの長さが７２００である場合、
前記予め定められた順序に従って０番目のビットグループから（ｍ−１）番目のビットグループまでのビットグループの情報ビットを短縮するステップと、
前記予め定められた順序に従ってｍ番目のビットグループ内の（７２００−Ｋ２−３６０ｍ）情報ビットを短縮するステップとを有し、
Ｋ２は、短縮により取得される情報ビットの数であり、（７２００−Ｋ２）は、短縮される情報ビットの数であり、
2011507329.tif 000002
であることを特徴とする請求項１に記載のチャネル符号化方法。
【請求項７】
低密度パリティ検査（ＬＤＰＣ）符号を使用するシステムにおけるチャネル符号化装置であって、
情報ビットを複数のビットグループに区分し、短縮される情報ビットの数を決定し、前記決定された短縮される情報ビットの数に基づいて短縮されるビットグループの数を決定し、予め定められた順序に従って前記決定されたビットグループの情報ビットを短縮する短縮パターン適用部と、
前記短縮された情報ビットを符号化する符号化器とを有することを特徴とするチャネル符号化装置。
【請求項８】
前記短縮パターン適用部は、前記短縮される情報ビットの数を決定するために短縮により取得される情報ビット数を決定することを特徴とする請求項７に記載のチャネル符号化装置。
【請求項９】
符号語の長さが１６２００であり、情報ビットの長さが３２４０である場合、前記予め定められた順序は、７、３、６、５、２、４、１、８、及び０であることを特徴とする請求項７に記載のチャネル符号化装置。
【請求項１０】
符号語の長さが１６２００であり、情報ビットの長さが７２００である場合、前記予め定められた順序は、１８、１７、１６、１５、１４、１３、１２、１１、４、１０、９、８、３、２、７、６、５、１、１９、及び０であることを特徴とする請求項７に記載のチャネル符号化装置。
【請求項１１】
ビットグループの長さが３６０であり、情報ビットの長さが３２４０である場合、
前記短縮パターン適用部は、前記予め定められた順序に従って０番目のビットグループから（ｍ−１）番目のビットグループまでのビットグループの情報ビットを短縮し、前記予め定められた順序に従ってｍ番目のビットグループ内の（３２４０−Ｋ２−３６０ｍ）情報ビットを短縮し、
ここで、Ｋ２は、短縮により取得される情報ビットの数であり、（３２４０−Ｋ２）は、短縮される情報ビットの数であり、
2011507329.tif 000003
であることを特徴とする請求項７に記載のチャネル符号化装置。
【請求項１２】
ビットグループの長さが３６０であり、情報ビットの長さが７２００である場合、
前記短縮パターン適用部は、前記予め定められた順序に従って０番目のビットグループから（ｍ−１）番目のビットグループまでのビットグループの情報ビットを短縮し、前記予め定められた順序に従ってｍ番目のビットグループ内の（７２００−Ｋ２−３６０ｍ）情報ビットを短縮し、
ここで、Ｋ２は、短縮により取得される情報ビットの数であり、（７２００−Ｋ２）は、短縮される情報ビットの数であり、
2011507329.tif 000004
であることを特徴とする請求項７に記載のチャネル符号化装置。
【請求項１３】
低密度パリティ検査（ＬＤＰＣ）符号を使用するシステムにおけるチャネル復号化方法であって、
受信された信号を復調するステップと、
短縮された情報ビットの位置を決定するステップと、
前記決定された短縮された情報ビットの位置を考慮して前記復調された信号を復号化するステップとを有し、
前記短縮された情報ビットの位置を決定するステップは、短縮された情報ビットの数を決定するステップと、
前記決定された短縮された情報ビットの数に基づいて短縮されたビットグループの数を決定するステップと、
予め定められたビットグループの順序を取得するステップとを含むことを特徴とするチャネル復号化方法。
【請求項１４】
前記短縮された情報ビットの数を決定するために短縮により取得される情報ビット数を決定するステップをさらに有することを特徴とする請求項１３に記載のチャネル復号化方法。
【請求項１５】
符号語の長さが１６２００であり、情報ビットの長さが３２４０である場合、前記予め定められた順序は、７、３、６、５、２、４、１、８、及び０であることを特徴とする請求項１３に記載のチャネル復号化方法。
【請求項１６】
符号語の長さが１６２００であり、情報ビットの長さが７２００である場合、前記予め定められた順序は、１８、１７、１６、１５、１４、１３、１２、１１、４、１０、９、８、３、２、７、６、５、１、１９、及び０であることを特徴とする請求項１３に記載のチャネル復号化方法。
【請求項１７】
ビットグループの長さが３６０であり、情報ビットの長さが３２４０である場合、
前記予め定められた順序に従って０番目のビットグループから（ｍ−１）番目のビットグループまでのビットグループの情報ビットを短縮するステップと、
前記予め定められた順序に従ってｍ番目のビットグループ内の（３２４０−Ｋ２−３６０ｍ）情報ビットを短縮するステップとを有し、
Ｋ２は、短縮により取得される情報ビットの数であり、（３２４０−Ｋ２）は、短縮される情報ビットの数であり、
2011507329.tif 000005
であることを特徴とする請求項１３に記載のチャネル復号化方法
【請求項１８】
ビットグループの長さが３６０であり、情報ビットの長さが７２００である場合、
前記予め定められたビットグループの順序に従って０番目のビットグループから（ｍ−１）番目のビットグループまでのビットグループの情報ビットが短縮されたことに決定するステップと、
前記予め定められたビットグループの順序に従ってｍ番目のビットグループ内の（７２００−Ｋ２−３６０ｍ）情報ビットが短縮されたことに決定するステップと、を有し、
Ｋ２は、短縮により取得される情報ビットの数であり、（７２００−Ｋ２）は、短縮された情報ビットの数であり、
2011507329.tif 000006
であることを特徴とする請求項１３に記載のチャネル復号化方法。
【請求項１９】
低密度パリティ検査（ＬＤＰＣ）符号を使用するシステムにおけるチャネル復号化装置であって、
受信された信号を復調する復調器と、
短縮された情報ビットの位置を決定する短縮パターン決定部と、
前記決定された短縮された情報ビットの位置を考慮して前記復調された信号を復号化する復号化器とを有し、
前記短縮された情報ビットの位置は、短縮された情報ビットの数を決定し、
前記決定された短縮された情報ビットの数に基づいて短縮されたビットグループの数を決定し、
予め定められたビットグループの順序を取得することにより決定されることを特徴とするチャネル復号化装置。
【請求項２０】
前記短縮パターン決定部は、前記短縮された情報ビットの数を決定するために短縮により取得される情報ビット数を決定することを特徴とする請求項１９に記載のチャネル復号化装置。
【請求項２１】
符号語の長さが１６２００であり、情報ビットの長さが３２４０である場合、前記予め定められた順序は、７、３、６、５、２、４、１、８、及び０であることを特徴とする請求項１９に記載のチャネル復号化装置。
【請求項２２】
符号語の長さが１６２００であり、情報ビットの長さが７２００である場合、前記予め定められた順序は、１８、１７、１６、１５、１４、１３、１２、１１、４、１０、９、８、３、２、７、６、５、１、１９、及び０であることを特徴とする請求項１９に記載のチャネル復号化装置。
【請求項２３】
ビットグループの長さが３６０であり、情報ビットの長さが３２４０である場合、
前記短縮パターン決定部は、前記予め定められた順序に従って０番目のビットグループから（ｍ−１）番目のビットグループまでのビットグループの情報ビットを短縮し、前記予め定められた順序に従ってｍ番目のビットグループ内の（３２４０−Ｋ２−３６０ｍ）情報ビットを短縮し、
ここで、Ｋ２は、短縮により取得される情報ビットの数であり、（３２４０−Ｋ２）は、短縮される情報ビットの数であり、
2011507329.tif 000007
であることを特徴とする請求項１９に記載のチャネル復号化装置。
【請求項２４】
ビットグループの長さが３６０であり、情報ビットの長さが７２００である場合、
前記短縮パターン決定部は、前記予め定められたビットグループの順序に従って０番目のビットグループから（ｍ−１）番目のビットグループまでのビットグループの情報ビットが短縮されたことに決定し、前記予め定められたビットグループの順序に従ってｍ番目のビットグループ内の（７２００−Ｋ２−３６０ｍ）情報ビットが短縮されたことに決定し、
Ｋ２は、短縮により取得される情報ビットの数であり、（７２００−Ｋ２）は、短縮される情報ビットの数であり、
2011507329.tif 000008
であることを特徴とする請求項１９に記載のチャネル復号化装置。
【手続補正２】
【補正対象書類名】明細書
【補正対象項目名】発明の名称
【補正方法】変更
【補正の内容】
【発明の名称】低密度パリティ検査符号を使用するシステムにおけるチャネル符号化方法及び復号化方法並びにそれらの装置
【手続補正３】
【補正対象書類名】明細書
【補正対象項目名】００３８
【補正方法】変更
【補正の内容】
【００３８】
上記のような目的を達成するために、本発明の一態様によれば、低密度パリティ検査符号（ＬＤＰＣ）を使用するシステムにおけるチャネル符号化方法であって、情報ビットを複数のビットグループに区分するステップと、短縮される情報ビットの数を決定するステップと、前記決定された短縮される情報ビットの数に基づいて短縮されるビットグループの数を決定するステップと、予め定められた順序に従って前記決定されたビットグループの情報ビットを短縮するステップと、前記短縮された情報ビットを符号化するステップとを有することを特徴とする。
【手続補正４】
【補正対象書類名】明細書
【補正対象項目名】００３９
【補正方法】変更
【補正の内容】
【００３９】
本発明の他の態様によれば、低密度パリティ検査（ＬＤＰＣ）符号を使用するシステムにおけるチャネル符号化装置であって、情報ビットを複数のビットグループに区分し、短縮される情報ビットの数を決定し、前記決定された短縮される情報ビットの数に基づいて短縮されるビットグループの数を決定し、予め定められた順序に従って前記決定されたビットグループの情報ビットを短縮する短縮パターン適用部と、前記短縮された情報ビットを符号化する符号化器とを有することを特徴とする。
【手続補正５】
【補正対象書類名】明細書
【補正対象項目名】００４０
【補正方法】変更
【補正の内容】
【００４０】
本発明のさらに他の態様によれば、低密度パリティ検査（ＬＤＰＣ）符号を使用するシステムにおけるチャネル復号化方法であって、受信された信号を復調するステップと、短縮された情報ビットの位置を決定するステップと、前記決定された短縮された情報ビットの位置を考慮して前記復調された信号を復号化するステップとを有し、前記短縮された情報ビットの位置を決定するステップは、短縮された情報ビットの数を決定するステップと、前記決定された短縮された情報ビットの数に基づいて短縮されたビットグループの数を決定するステップと、予め定められたビットグループの順序を取得するステップとを含むことを特徴とする。
【手続補正６】
【補正対象書類名】明細書
【補正対象項目名】００４１
【補正方法】変更
【補正の内容】
【００４１】
本発明のさらなる他の態様によれば、低密度パリティ検査（ＬＤＰＣ）符号を使用するシステムにおけるチャネル復号化装置であって、受信された信号を復調する復調器と、短縮された情報ビットの位置を決定する短縮パターン決定部と、前記決定された短縮された情報ビットの位置を考慮して前記復調された信号を復号化する復号化器とを有し、前記短縮された情報ビットの位置は、短縮された情報ビットの数を決定し、前記決定された短縮された情報ビットの数に基づいて短縮されたビットグループの数を決定し、予め定められたビットグループの順序を取得することにより決定されることを特徴とする。
【手続補正７】
【補正対象書類名】明細書
【補正対象項目名】００４２
【補正方法】削除
【補正の内容】
【手続補正８】
【補正対象書類名】明細書
【補正対象項目名】００４３
【補正方法】削除
【補正の内容】